【事件の表示】
　平成１０年特許願第５４４４０５号「折り丁を横折りするための方法および装置」拒絶査定不服審判事件〔平成１０年１０月２９日国際公開、ＷＯ９８／４７８０４、平成１２年　８月１５日国内公表、特表２０００−５１０４２７〕について、次のとおり審決する。
【結　論】
　本件審判の請求は、成り立たない。
【理　由】
１．手続の経緯・本願発明
　本願は、１９９８年４月２１日（パリ条約による優先権主張１９９７年４月２１日、独逸国）を国際出願日とする出願であって、その請求項１〜１５に係る発明は、平成１５年１月１７日付け手続補正書によって補正された明細書の特許請求の範囲の請求項１〜１５に記載された事項によって特定されるとおりのものであるところ、請求項１に係る発明は次のとおりである。
「１．折り丁（７８）を横折りするための装置において、搬送・折りブレード胴（２２）が設けられており、該搬送・折りブレード胴（２２）に、該搬送・折りブレード胴（２２）から折り丁走行路に沿って走行する折り丁を受け取るための前折り胴（２７）が対応配置されており、該前折り胴（２７）に、前折り・クランプギャップ（８１）を規定するくわえ状に配置された前折り・クランプエレメントシステム（２８）が設けられており、前記搬送・折りブレード胴（２２）から受け取られた前記折り丁から前折り製品（８３；８２ ；７９）を形成するための前記前折りクランプエレメントシステム（２８）を操作するための手段が設けられており、前記折り丁走行路に沿って配置されかつ前記前折り胴（２７）に後置された一対の折りローラ（６１；６２）が設けられており、前記前折り胴（２７）から、最終折りされた製品を形成するための前記一対の折りローラ（６１；６２）へ前記前折り製品（８３；８２；７９）を供給するための手段が設けられていることを特徴とする、折り丁を横折りするための装置。」（以下、「本願発明１」という）
　
２．原査定の理由の概要
　原査定の拒絶の理由は、「本願の請求項１に係る発明は、その出願前に頒布された刊行物に記載された発明に基づいて当業者が容易に発明をすることができたものであるから特許法第２９条第２項の規定により特許を受けることができない。」というものであり、そして、本願発明１に対しては、引用刊行物として特開平３−１０６７５５号公報、実願昭６１−７４９２号（実開昭６２−１１９３３６号）のマイクロフィルムが引用された。
　
３．当審の判断
　引用刊行物記載の発明
　原査定の拒絶の理由として、本願発明１に対して引用された刊行物である、特開平３−１０６７５５号公報（以下、「引用例１」という）、実願昭６１−７４９２号（実開昭６２−１１９３３６号）のマイクロフィルム（以下、「引用例２」という）には次の事項が記載されている。
（１）引用例１に記載の発明
（１−１）第１〜７、１０、１２図および第７頁左上欄５行〜９行には、第１の折り目３２の形成として、
「ウエブ４０は、…中略…一対の折り目つけローラ１１６と１１８の間のニップ部に入る。ウエブ４０は次には裁断胴７４と折り胴５２の間に形成されているニップ部へと移動する。」が記載されている。
（１−２）第１〜７、１０、１２、１３図および第７頁右上欄８行〜右下欄２行には、第２の折り目３４の形成として、
「折り胴５２はくわえ胴８０と組合って働いていて、第２の折り目３４を形成する。折丁４８が折り胴５２の回りを進行する経路に対して直角の方向に折り目３４が形成される。第２の折り目３４は、折り胴５２上の折りブレードがシート状材料３０をくわえ胴８０の開いているくわえ板（の口）の中に押し込んだときに形成される。…中略…折り胴５２とくわえ胴８０が組合って働いて、折り目を折丁４８に横方向の折り目３４を形成する方法はよく知られており、…中略…これ以上の説明はしない。折丁４８は、終始くわえられている。つまり、折り目４２と３４を形成された折丁４８は、それが未だくわえ胴８０のコントロール下にある間に、くわえ胴８０と複数の上側テープの間にくわえられる。次には折丁４８の先端部が、その折丁の後端部が未だテープ１２４とくわえ胴８０の間でくわえられている間に、下側の排出テープ１２６と複数の上側テープ１２４によってくわえられる。方向転換ゲート８８が持ち上がっているならば、折丁４８は、テープ１２４と１２６によって導かれ、排出テープ１２８とテープドラム１３０の間に形成されているニップ部に進む。排出テープ１２６と１２８が折丁４８をくわえて下方へと運び（第１３図参照）排出ファンホイール９２に送る。排出ファンホイール９２は反時計方向に回転して（第１３図参照）折丁４８を重なった流れとして、ベルトコンベヤ９４上に落す。」が記載されている。
（１−３）第１〜７、１０、１１、１２、１３図および第７頁右下欄１４行〜第８頁左上欄６行には、第３の折り目３６、３８の形成として、
「第３の折り機アセンブリ８６（第１１図）は、それの幅の広い入口端部分１３４から出口、つまり排出端部分１３６へと折丁４８が動くときに、その折丁４８に折目３６と３８を形成する働きをする。折り機アセンブリ８６が、それを通過する折丁４８の移動の方向に延びる折目３６と３８を正確に形成することを助けるために、折目つけロ−ル１４０（第１２図）がくわえ胴８０と組合って働いて、折丁４８の折目３６と３８が形成されるべき位置に折目を形成する。第２の折目つけロ−ル１４２がテ−プドラム１３０（第１３図）と組合って働いて、折丁４８の折目３６と３８が形成されるべき位置に再度折目を形成する。」が記載されている。
　上記（１−１）〜（１−３）を総合すれば、引用例１には、
　シート状材料３が、裁断胴７４と折り胴５２の間に形成されているニップ部へと移動し、折り胴５２がくわえ胴８０と組合って働いて、折り胴５２上の折りブレードがシート状材料３０をくわえ胴８０の開いているくわえ板（の口）の中に押し込んだときに、折り胴５２の回りを進行する経路に対して直角の方向に折丁４８の折り目３４形成が形成される。つまり、折り胴５２とくわえ胴８０が組合って働いて、折丁４８に横方向の折り目３４を形成するものであるが、折丁４８は、それが未だくわえ胴８０のコントロール下にある間に、テープ１２４と１２６および排出テープ１２８とテープドラム１３０に形成されているニップ部に進むことによって第２の折目つけロ−ル１４２がテ−プドラム１３０（第１３図）と組合って働いて、折目を形成する発明が記載されている。
（２）引用例２に記載の発明
（２−１）第５頁５行〜第１０頁２行には、
「（へ）実施例
…中略…咥胴（１）の直径方向の対称位置たる外周には、第２図（ａ）に示すように咥胴（１）の軸線と平行な溝（Ａ）を設け、溝（Ａ）には母体部材（１１）を固着する。母体部材（１１）は、長手方向で対向する両側壁部（Ｂ），（Ｂ）でベアリング（図示せず）を介して咥え板軸（１２），（１２）を回動自在に支承する。咥え板軸（１２）には、その長手方向に咥え板（１３）を固着する。さらに、咥え顎（１４）を、咥え板（１３）と対向するように、母体部材（１１）内面の幅方向で対向する側壁（Ｃ），（Ｃ）の一方に固着する。かつ、各咥え板軸（１２）の咥胴（１）軸心側かつ咥胴（１）中央側には第２図（ｂ）に示すようにスプリング受けアーム（１５）を設ける。さらに溝（Ａ）の底部の母体部材（１１）の幅方向で対向する側壁（Ｃ），（Ｃ）間には、付勢手段（１６）を設ける。付勢手段（１６）は、スプリング受けアーム（１５）を係止し、かつスプリング受けアーム（１５）を介して、咥え板（１８）を、咥え顎（１４）に抑圧するよう咥え板軸（１２）を角変位付勢する。他方、咥え板軸（１２）の咥胴（１）外側の一端部には第１図（ａ）、第１図（ｂ）に示すように咥え板軸角変位アーム（１７）を固着する。咥え板軸角変位アーム（１７）から外方へはカムフォロアー軸（１８）を突設し、カムフォロアー軸（１８）には、カムフォロアー（１９）を回転自在に装着する。…中略…（５）は、咥胴（１）に隣接して設ける折胴であり、（５１）は折胴（５）に設ける折ブレード、…中略…である。（６）は、折胴（５）に隣接して設ける鋸胴であり、（６１）は鋸胴に設ける鋸刃である。（７）は料紙、（７１）は料紙（７）の切断された第１セクション、（７２）は同第２セクションである。…中略…重ね折り運転（コレクトラン）時には、第３図（ａ）、第３図（ｂ）に示すように輪転機は駆動する。…中略…咥え装置が、折胴（５）の折ブレード（５１）と対向する毎に、突き出されるセクションを咥えて咥え折りを行う。」が、記載されている。　
（２）対比・判断
　本願発明１と引用例１に記載の発明（以下、引用発明１という）とを対比すると、
　後者の「折り胴５２」、「くわえ胴８０」、「開いているくわえ板（の口）」、「第２の折目つけロ−ル１４２およびテ−プドラム１３０」、「テープ１２４と１２６」は、前者の「搬送・折りブレード胴（２２）」、「前折り胴（２７）」、「くわえ状に配置された前折り・クランプエレメントシステム（２８）」、「前折り胴（２７）に後置された一対の折りローラ（６１；６２）」、「前記前折り製品（８３；８２；７９）を供給するための手段」に夫々相当するから、両者は、
「折り丁を横折りするための装置において、搬送・折りブレード胴が設けられており、該搬送・折りブレード胴に、該搬送・折りブレード胴から折り丁走行路に沿って走行する折り丁を受け取るための前折り胴が対応配置されており、該前折り胴に、くわえ状に配置された前折り・クランプエレメントシステムが設けられており、前記搬送・折りブレード胴から受け取られた前記折り丁から前折り製品を形成するための手段が設けられており、前記折り丁走行路に沿って配置されかつ前記前折り胴に後置された一対の折りローラが設けられており、前記前折り胴から、最終折りされた製品を形成するための前記一対の折りローラへ前記前折り製品を供給するための手段が設けられていることを特徴とする、折り丁を横折りするための装置。」で一致し、以下の点で相違している。
　
相違点ａ
　本願発明１では、前折り・クランプエレメントシステムが「前折り・クランプギャップを規定」しているのに対し、引用発明１には、「くわえ板（の口）の中に押し込」むとの記載はあるものの、そのギャップを規定するとの記載がない点。
　
相違点ｂ
　本願発明１が、「前折りクランプエレメントシステムを操作するための手段」を有しているのに対し、引用発明１では、この点が明らかでない点。
　
〈判断〉
　そこで上記相違点ａ、ｂについて検討する。
　前折り・クランプギャップを規定するシステムは、前折りクランプエレメントシステムを操作するための手段に組み込まれているものであるから、相違点ａ、ｂの構成は一体のものとして判断すると、　
　引用例２には、「咥え板軸（１２）の端部に咥え板軸角変位アーム（１７），カムフォロアー軸（１８）を介して設けたカムフォロアー（１９）がカム（図示せず）の外周に従って導かれることにより咥え板軸（１２）を付勢手段（１６）に抗して角変位し、これに従って咥え板（１３）が揺動往復して、咥え顎（１４）と共働し、折胴（５）の折ブレード（５１）と対向する毎に、突き出されるセクションを咥えて咥え折りを行う。しかし固定手段（２０）を作用させた（第２図（ｃ）２点鎖線の状態）咥え装置は、咥え板（１３）と咥え顎（１４）の間が開放されたままなので、折胴（５）の折ブレード（５１）と対向した場合でも咥え動作を行わず、折胴（５）上のセクションは折胴（５）の周面に保持されたまま回転し、そのため次のセクションと重ね合わせられる。」と記載されており、当該カムフォロワは、折丁形成時の、クランプギャップを規定するものであり、同時に、前折りクランプエレメントシステムを操作させる手段である。
　そして、引用発明１に上記相違点ａ、ｂを有する引用例２を適用して本願発明１を構成した点に格別の困難性は認められない。
　
（３）まとめ
　上記のとおり、相違点ａ、ｂは、当業者が容易に想到しうるものであるから、本願発明１は、引用例１、２に記載の発明に基づいて当業者が容易に発明をすることができたものと認められる。
　そして、本願発明１により奏される効果も、引用例１、２に記載の発明から当業者が当然予測しうる程度のものであって、格別顕著であるとはいえない。
　
４．むすび
　以上のとおりであるから、本願の請求項２〜１５に係る発明について検討するまでもなく、本願発明１は特許法第２９条第２項の規定により特許を受けることができない。
　よって結論のとおり審決する。